(57)【要約】【課題】表示素子特性のバラツキ、駆動回路等の回路条件の差異等によらず均一な輝度分布を得ることができる。【解決手段】補正用データ生成処理回路６は測定器２０より受けた黒レベルの全画素データおよび白レベルの全画素データをそれぞれ輝度補正用の電圧値を示す補正用データに変換して補正用データ記憶部６Ａに格納する。Ｘドライバ２、Ｙドライバ３は補正用データ記憶部６Ａに格納した補正用データにより出力電圧が制御される。【選択図】図１
2005284086.tif 000002
【特許請求の範囲】
【請求項１】
複数の走査線と、前記複数の走査線に交差する複数の信号線と、前記複数の走査線および前記複数の信号線との交差位置に配置され各々一対の走査線および信号線間の電圧に対応して駆動される複数の表示画素と、前記複数の走査線を順次駆動する走査線ドライバと、前記走査線ドライバによって前記複数の走査線の各々が駆動される間に映像信号の階調レベルに対応するパルス幅の駆動信号により前記複数の信号線を駆動する信号線ドライバと、前記複数の表示画素の素子特性の差異を補償するように前記複数の表示画素各々に対する前記走査線ドライバの出力電圧および前記信号線ドライバの出力電圧を制御する処理回路とを具備したことを特徴とする平面表示装置。
【請求項２】
前記処理回路は黒レベルの映像信号に対して前記複数の表示画素が一様に黒レベルの輝度となるように前記走査線ドライバの出力電圧を各走査線毎に制御する手段を有する請求項１記載の平面表示装置。
【請求項３】
前記処理回路は白レベルの映像信号に対して前記複数の表示画素が一様に白レベルの輝度となるように前記信号線ドライバの出力電圧を各信号線毎に制御する手段を有する請求項２記載の平面表示装置。
【請求項４】
前記処理回路は前記走査線ドライバの出力電圧を走査線毎に補正するためのデータを記憶した記憶手段を備え、前記記憶手段に記憶されたデータを用いて前記走査線ドライバの出力電圧を走査線毎に制御する請求項２記載の平面表示装置。
【請求項５】
前記記憶手段には、各走査線毎に、当該走査線に接続された複数の表示画素をそれぞれ素子特性の差異を補償する１群の補正対象素子として、当該素子のうち最も低い印加電圧で発光する素子を基準に設定した走査電圧に対する前記各補正対象素子の補正用電圧を示すデータを記憶する請求項４記載の平面表示装置。
【請求項６】
前記処理回路は前記複数の走査線を区分した所定数の走査線を対象に共通のデータを用いて当該各走査線に印加する走査電圧を制御する請求項４または５記載の平面表示装置。
【請求項７】
複数の走査線と、前記複数の走査線に交差する複数の信号線と、前記複数の走査線および前記複数の信号線との交差位置に配置され各々一対の走査線および信号線間の電圧に対応して駆動される複数の表示画素と、前記複数の走査線を順次駆動する走査線ドライバと、前記走査線ドライバによって前記複数の走査線の各々が駆動される間に映像信号の階調レベルに対応するパルス幅の駆動信号により前記複数の信号線を駆動する信号線ドライバとを備えた表示装置の輝度制御方法において、前記複数の表示画素の素子特性の差異を補償するように前記複数の表示画素各々に対する前記走査線ドライバの出力電圧を制御することを特徴とする表示装置の輝度制御方法。
【請求項８】
複数の走査線と、前記複数の走査線に交差する複数の信号線と、前記複数の走査線および前記複数の信号線との交差位置に配置され各々一対の走査線および信号線間の電圧に対応して駆動される複数の表示画素と、前記複数の走査線を順次駆動する走査線ドライバと、前記走査線ドライバによって前記複数の走査線の各々が駆動される間に映像信号の階調レベルに対応するパルス幅の駆動信号により前記複数の信号線を駆動する信号線ドライバとを備えた表示装置の輝度制御方法において、黒レベルの映像信号に対し前記複数の表示画素が一様に黒レベルの輝度となるように前記走査線ドライバの出力電圧を前記各走査線毎に設定するステップと、当該設定に従い前記走査線ドライバの出力電圧を制御して白レベルの映像信号に対し前記複数の表示画素が一様に白レベルの輝度となるように前記信号線ドライバの出力電圧を各信号線毎に設定するステップとを有し、前記各ステップの設定に基づいて前記走査線ドライバおよび信号線ドライバの出力電圧を制御することを特徴とする表示装置の輝度制御方法。
【発明の詳細な説明】
【技術分野】
【０００１】
本発明は、複数の表示画素が各々発光型または受光型の表示素子として形成される平面表示装置、並びにこの種表示装置の輝度制御方法に関する。
【背景技術】
【０００２】
近年では、フィールド・エミッション・ディスプレイ（ＦＥＤ）が平面表示装置として注目されている。このＦＥＤは、一般に表示パネルとこの表示パネルを駆動する駆動回路とを備える。表示パネルは、横（水平）方向に伸びる複数の走査線、これら走査線に交差して縦（垂直）方向に伸びる複数の信号線、並びにこれら走査線および信号線の交差位置に配置される複数の表示画素を含む。カラー表示用の表示パネルでは、例えば水平方向において隣接する３個の表示画素がカラー表示画素として用いられる。各表示画素は表面伝導型電子放出素子およびこの電子放出素子から放出される電子ビームにより発光する赤（Ｒ）、緑（Ｇ）または青（Ｂ）の蛍光体で構成される発光型の表示素子である。
【０００３】
駆動回路は複数の走査線の一端に接続されるＹドライバと、複数の信号線の一端に接続されるＸドライバを含む。Ｙドライバは走査信号を用いて複数の走査線を順次駆動し、Ｘドライバは各走査線が駆動される間に映像信号に対応したパルス幅の駆動信号を用いて複数の信号線を駆動する。各表示画素は対応信号線および対応走査線間の画素電圧に対応した輝度で発光する。
【特許文献１】特開２００２−２２１９３３号公報
【発明の開示】
【発明が解決しようとする課題】
【０００４】
ところで、上述のようなＦＥＤでは、表示素子の製造プロセスにおいて発生する素子特性のバラツキをなくすことが困難であるために、例えば表示画面の明るさが輝度特性のような素子特性のバラツキに依存した輝度差によって不均一になり、均一な輝度分布を得ることを困難にしている。このような素子特性にバラツキのある表示素子を配列した表示パネルにおいては、黒レベルに於ける斑な色ムラ、白レベルに於ける斑な色ムラ等が生じることになる。また、ドライバＩＣ、走査線、信号線を含む各表示素子に対しての回路上の条件等も全く一様にすることは困難であり、例え一様な走査電圧、駆動電圧を印加したとしても均一な輝度分布を得ることを困難にしている。近年では、表示パネルの画面サイズおよび解像度の増大を求める要望が多いため、表示品位がこれらの増大に伴ってさらに劣化する傾向にある。
【０００５】
上述したように従来では表示素子特性のバラツキ、駆動回路等の回路条件の差異等により均一な輝度分布を得る上で問題があった。  
本発明の目的は、表示素子特性のバラツキ、駆動回路等の回路条件の差異等によらず均一な輝度分布を得ることができる平面表示装置および表示装置の駆動制御方法を提供することにある。
【課題を解決するための手段】
【０００６】
本発明によれば、複数の走査線と、前記複数の走査線に交差する複数の信号線と、前記複数の走査線および前記複数の信号線との交差位置に配置され各々一対の走査線および信号線間の電圧に対応して駆動される複数の表示画素と、前記複数の走査線を順次駆動する走査線ドライバと、前記走査線ドライバによって前記複数の走査線の各々が駆動される間に映像信号の階調レベルに対応するパルス幅の駆動信号により前記複数の信号線を駆動する信号線ドライバと、前記複数の表示画素の素子特性の差異を補償するように前記複数の表示画素各々に対する前記走査線ドライバの出力電圧および前記信号線ドライバの出力電圧を制御する処理回路とを具備した平面表示装置が提供される。
【０００７】
また本発明によれば、複数の走査線と、前記複数の走査線に交差する複数の信号線と、前記複数の走査線および前記複数の信号線との交差位置に配置され各々一対の走査線および信号線間の電圧に対応して駆動される複数の表示画素と、前記複数の走査線を順次駆動する走査線ドライバと、前記走査線ドライバによって前記複数の走査線の各々が駆動される間に映像信号の階調レベルに対応するパルス幅の駆動信号により前記複数の信号線を駆動する信号線ドライバとを備えた表示装置の輝度制御方法において、前記複数の表示画素の素子特性の差異を補償するように前記複数の表示画素各々に対する前記走査線ドライバの出力電圧を制御することを特徴とする表示装置の輝度制御方法が提供される。
【０００８】
また本発明によれば、複数の走査線と、前記複数の走査線に交差する複数の信号線と、前記複数の走査線および前記複数の信号線との交差位置に配置され各々一対の走査線および信号線間の電圧に対応して駆動される複数の表示画素と、前記複数の走査線を順次駆動する走査線ドライバと、前記走査線ドライバによって前記複数の走査線の各々が駆動される間に映像信号の階調レベルに対応するパルス幅の駆動信号により前記複数の信号線を駆動する信号線ドライバとを備えた表示装置の輝度制御方法において、黒レベルの映像信号に対し前記複数の表示画素が一様に黒レベルの輝度となるように前記走査線ドライバの出力電圧を前記各走査線毎に設定するステップと、当該設定に従い前記走査線ドライバの出力電圧を制御して白レベルの映像信号に対し前記複数の表示画素が一様に白レベルの輝度となるように前記信号線ドライバの出力電圧を各信号線毎に設定するステップとを有し、前記各ステップの設定に基づいて前記走査線ドライバおよび信号線ドライバの出力電圧を制御することを特徴とする表示装置の輝度制御方法が提供される。
【発明の効果】
【０００９】
表示素子特性のバラツキ、駆動回路等の回路条件の差異等によらず均一な輝度分布を得ることができる。
【発明を実施するための最良の形態】
【００１０】
以下、本発明の一実施形態に係る平面表示装置について添付図面を参照して説明する。ここではカラー表示画素数が横：縦＝１２８０：７２０というＸＧＡ解像度のフィールド・エミッション・ディスプレイ（ＦＥＤ）装置を例に採る。
【００１１】
図１はこの平面表示装置の回路構成を概略的に示す。平面表示装置は、表示パネル１、画像電圧ドライバ（Ｘドライバ）２、走査電圧ドライバ（Ｙドライバ）３、入力信号処理回路４、タイミング・レベル制御回路５、補正用データ生成処理回路６、補正データ処理回路７、および画像信号処理回路８等を備える。
【００１２】
表示パネル１は横（水平）方向に伸びるｍ（＝７２０）本の走査線Ｙ（Ｙ１〜Ｙｍ）、これら走査線Ｙ１〜Ｙｍに交差して縦（垂直）方向に伸びるｎ（＝１２８０×３）本の信号線Ｘ（Ｘ１〜Ｘｎ）、並びにこれら走査線Ｙ１〜Ｙｍおよび信号線Ｘ１〜Ｘｎの交差位置近傍に配置され表示画面を構成するｍ×ｎ（＝約２７６万）個の表示画素ＰＸを支持基板上に有する。各カラー表示画素は水平方向において隣接する３個の表示画素ＰＸにより構成される。このカラー表示画素では、３個の表示画素ＰＸがそれぞれ表面伝導型電子放出素子１１およびこれら電子放出素子１１から放出される電子ビームにより発光する赤（Ｒ）、緑（Ｇ）、および青（Ｂ）の蛍光体１２により構成される。各走査線Ｙは対応行の表示画素ＰＸの電子放出素子１１に接続される走査電極として用いられ、各信号線Ｘは対応列の表示画素ＰＸの電子放出素子１１に接続される信号電極として用いられる。
【００１３】
Ｘドライバ２、Ｙドライバ３、入力信号処理回路４、タイミング・レベル制御回路５、補正用データ生成処理回路６、補正データ処理回路７、および画像信号処理回路８は表示パネル１に対する表示用駆動回路として用いられ、表示パネル１の周囲に配置される。Ｘドライバ２は信号線Ｘ１〜Ｘｎに接続され、Ｙドライバ３は走査線Ｙ１〜Ｙｍに接続される。入力信号処理回路４は外部の信号源から供給されるＲＧＢ映像信号および同期信号の入力処理を行い、映像信号を画像信号処理回路８に供給し、同期信号をタイミング・レベル制御回路５に供給する。タイミング・レベル制御回路５は入力信号処理回路４から受けた同期信号（垂直同期信号および水平同期信号）に基づいてＸドライバ２、Ｙドライバ３、補正データ処理回路７、および画像信号処理回路８の動作タイミングを制御する。この制御により、Ｙドライバ３は走査信号を用いて走査線Ｙ１〜Ｙｍを順次駆動し、Ｘドライバ２は走査線Ｙ１〜Ｙｍの各々がＹドライバ３によって駆動される間に画像信号処理回路８から出力される１水平ライン分の映像信号に対応して信号線Ｘ１〜Ｘｎを駆動する。ここで、走査信号は１水平走査期間だけ出力される負の電圧である。
【００１４】
補正用データ生成処理回路６は表示パネル１の輝度調整時において後述する測定器２０より取得した黒レベルの全画素データおよび白レベルの全画素データをもとに全ての表示画素の素子特性の差異を補償するようにＸドライバ２およびＹドライバ３の各出力電圧を補正制御するための補正用データを生成し保持する。
【００１５】
測定器２０は表示パネル１の輝度調整時においてのみ用いられるもので、表示パネル１上の黒レベルの画像パターンを観察して黒レベルの全画素データを生成し、その黒レベルの全画素データをもとに白レベルの画像パターンを観察して白レベルの全画素データを生成する。その測定例としては、先ず表示パネル１を最小階調の黒レベルの映像信号と測定用に定めた走査電圧とにより駆動して、その際の表示パネル１の全ての表示画素ＰＸの輝度（発光）状態を観察し、その観察結果の内容から黒レベルの全画素データを生成して補正用データ生成処理回路６に供給する。次に、表示パネル１を上記黒レベルの全画素データに対する補正用データを用いてＹドライバ３の出力電圧を各走査線毎に補正制御した走査電圧と最大階調の白レベルの映像信号とにより駆動して、その際の表示パネル１の全ての表示画素ＰＸの輝度状態を観察し、その観察結果の内容から白レベルの全画素データを生成して補正用データ生成処理回路６に供給する。尚、この際、表示パネル１に於ける素子特性の差異による各画素の輝度差をより明確に把握するために、黒レベルの全画素データ生成時は所望の斑な黒レベルの画像パターンが現れるような最小階調に近い所定の階調レベルで表示パネル１の全表示画素ＰＸを駆動し、白レベルの全画素データ生成時は所望の斑な白レベルの画像パターンが現れるような最大階調に近い所定の階調レベルで表示パネル１の全表示画素ＰＸを駆動するようにしてもよい。
【００１６】
補正用データ生成処理回路６は補正用データ記憶部６Ａおよびプロセッサ機能を有し、上記測定器２０より受けた黒レベルの全画素データ、および白レベルの全画素データをそれぞれ輝度補正用の電圧値を示す補正用データに変換して上記補正用データ記憶部６Ａに例えば表示装置に固有の補正用データテーブルとして格納する。
【００１７】
この変換処理による補正用データとしては、例えばＹドライバ３の出力電圧を制御する黒レベルの補正用データに関して、各走査線Ｙ（Ｙ１〜Ｙｍ）毎に、その走査線に接続された複数（ｎ個）の表示画素ＰＸをそれぞれ素子特性の差異を補償する１群の補正対象素子として、その素子のうち最も低い印加電圧で発光する素子を検出する。この素子の検出は対応する走査線に印加する電圧（Ｙドライバ３の出力電圧）を徐々に（例えば段階的に）上げてゆくことで検出可能である。この検出した素子に対して適正な（最低階調レベルの信号線電圧を重畳したとき発光開始状態になる）走査電圧を設定し、その走査電圧を基準電圧として、上記各補正対象素子について上記黒レベルの補正用データを用いて最適な補正用電圧を決定し、この電圧値を示すデータを補正用データ（ΔＶｙ）として走査線毎に対応付けて補正用データ記憶部６Ａに記憶する手段が適用可能である。これらの処理をプログラムにより実行する。また他の例として、上記測定器２０で得た斑の黒パターンをもとに生成した黒レベルの全画素データを用いて、各走査線毎に、その走査線によって駆動される補正対象素子について、発光状態にある画素が存在するか否かを判定し、その判定結果に従う固有の電圧値をもつ補正用データを各走査線毎に割り付けて上記補正用データ記憶部６Ａに格納する手段も適用可能である。さらに、この際、ｍ本の走査線を複数組に分け、その各組の複数の走査線毎に、その補正対象素子について発光状態にある画素が存在するか否かを判定し、その判定結果に従う固有の電圧値をもつ補正用データを各組毎に共通の補正用データとして上記補正用データ記憶部６Ａに格納する手段も適用可能である。この際の各処理についてもプログラムにより実行される。また、Ｘドライバ２の出力電圧を制御する白レベルの補正用データに関しては、上記した黒レベルの補正用データ（ΔＶｙ）をもとにＹドライバ３の出力電圧を制御している走査状態下で、白レベルの映像信号によりＸドライバ２を駆動し、そのときの全表示画素ＰＸの輝度パターンを測定器２０により測定する。このパターンデータをもとに各表示画素ＰＸについて輝度差に応じた補正用電圧値を算出し（または予め用意した複数の電圧値の中から１つの電圧値を選定し）、これを白レベルの補正用データ（ΔＶｘ）として各信号線Ｘ（Ｘ１〜Ｘｎ）に対応付けて上記補正用データ記憶部６Ａに格納する。この際、輝度差に応じた補正用電圧値の算出において輝度補正を必要としない素子に対しては補正電圧を０とした補正用データを格納する。他の例としては、ｎ本の信号線を複数組に分け、その各組毎に共通の白レベルの補正用データを選定して各組毎の信号線に対応付け上記補正用データ記憶部６Ａに格納することも可能である。この際の各処理についてもプログラムにより実行される。このようにして、補正用データ生成処理回路６は測定器２０の測定データをもとに黒レベルの補正用データ（ΔＶｙ）および白レベルの補正用データ（ΔＶｘ）を取得し当該各補正用データを補正用データ記憶部６Ａに格納する。
【００１８】
補正データ処理回路７はタイミング・レベル制御回路５のタイミング制御に従い、上記補正用データ生成処理回路６の補正用データ記憶部６Ａから黒レベルの補正用データ（ΔＶｙ）および白レベルの補正用データ（ΔＶｘ）を読み出して、各走査線Ｙ（Ｙ１〜Ｙｍ）の走査毎に対応する黒レベルの補正用データ（ΔＶｙ）をタイミング・レベル制御回路５に送出し、各走査線Ｙ（Ｙ１〜Ｙｍ）の走査に際して信号線Ｘ（Ｘ１〜Ｘｎ）に対応する１水平ライン分（ｎ個）の白レベルの補正用データ（ΔＶｘ）を画像信号処理回路８に送出する。
【００１９】
タイミング・レベル制御回路５は上記補正データ処理回路７から受けた黒レベルの補正用データ（ΔＶｙ）に従い対応する走査線に印加されるＹドライバ３の出力電圧を制御する。画像信号処理回路８は１水平ライン分の補正用データバッファを有し、上記補正データ処理回路７から受けた１ライン分の白レベルの補正用データ（ΔＶｘ）を走査線Ｙ１〜Ｙｍの各々がＹドライバ３によって駆動される間、補正用データバッファに保持してＸドライバ２に供給する。Ｘドライバ２は１水平走査期間毎に１水平ライン分の映像信号をサンプリングして並列的に出力するラインメモリを有し、上記補正用データバッファに保持された白レベルの補正用データ（ΔＶｘ）が示す電圧を最大階調レベルの電圧として上記ラインメモリに貯えられた映像信号の階調レベルに従う駆動電圧を各信号線Ｘ（Ｘ１〜Ｘｎ）に印加する。
【００２０】
上記した実施形態の構成により、表示パネル１のすべての表示画素ＰＸに対して、その各表示画素の素子特性の差異を補償するように、表示画素各々に対するＹドライバ３の出力電圧およびＸドライバ２の出力電圧を制御する処理機能が実現される。この機能により表示素子特性のバラツキを見かけ上一定の範囲内に留めて均一な輝度分布を得ることができる。
【００２１】
図２は上記表示パネル１に配列される表示素子（表面伝導型電子放出素子）の印可電圧（Ｖｆ）に対する電流特性（Ｉｅ）輝度特性を示している。印可電圧（Ｖｆ）には、走査線に印加される走査電圧（Ｖｙ）と信号線に印加される駆動電圧（Ｖｘ）とを用いる。駆動電圧（Ｖｘ）を電流立ち上がり特性部分（傾斜部分）にあてがうことによって駆動ダイナミックレインジを有効に使って好ましい表示画像並びに表示輝度効率を得ることができる。この表示素子の素子特性は一様ではなく上述したように製造工程、材料等、種々の条件により素子特性にバラツキが生じる。
【００２２】
図３は上記表示素子の素子特性のバラツキ例を示したもので、素子Ｌ１に対して、素子Ｌ２は立ち上がり点が早く従って素子Ｌ１よりも低い印加電圧で発光状態になる。また素子Ｌ３は素子Ｌ１よりも立ち上がり点が遅く従って素子Ｌ１よりも高い印加電圧で発光状態になる。また立ち上がり点（画像黒レベル）から立ち上がり到達点（画像白レベル）に至る傾斜特性もそれぞれ図示するように異なる。
【００２３】
この素子特性のバラツキに対して各素子への印加電圧を一様にした場合、即ち上記走査電圧（Ｖｙ）および駆動電圧（Ｖｘ）を各素子に対して一定の電圧とした場合、素子間に輝度差が生じ、黒レベルの画像においては斑な黒画像となり、白レベルの画像においては斑な白画像となって極めて品位の不十分な再生画像となっしまう。
【００２４】
そこで上記した本発明の実施形態では、上記したような表示素子の特性上のバラツキを見かけ上一定の範囲内に留め、黒レベルおよび白レベルの各画像において均一な輝度分布を得ている。上記実施形態を図３に示す素子特性を例にとってさらに説明すると、先ず映像信号の階調を黒レベルにして図３に示すＶｙ２に相当する一定の測定用走査電圧により表示パネル１の各表示画素ＰＸを走査し、そのときの表示パネル１の全表示画素ＰＸの輝度（発光）状態を測定器２０により観察して黒レベルの全画素データを生成する。その黒レベルの全画素データもとに補正用データ生成処理回路６が黒レベルの補正用データを生成して補正用データ記憶部６Ａに記憶する。
【００２５】
この際、走査線Ｙ１を走査電極とする各表示画素ＰＸに、図３に示すＬ１の素子特性をもつ発光状態にある表示画素ＰＸが存在するとき、補正用データ記憶部６Ａに、走査線Ｙ１に対し補正用データとしてＶｙ１を記憶する。また走査線Ｙ１を走査電極とする各表示画素ＰＸに、図３に示すＬ１の素子特性をもつ表示画素ＰＸが存在せず、そのすべての表示画素ＰＸが非発光状態にあるとき、補正用データ記憶部６Ａに、走査線Ｙ１に対し補正用データとしてＶｙ３を記憶する。続いて走査電圧をＶｙ２からＶｙ３に切り替えて上記同様に全表示画素ＰＸの発光状態を観察する。この際、走査線Ｙ１を走査電極とする各表示画素ＰＸに、図３に示すＬ２の素子特性をもつ発光状態にある表示画素ＰＸが存在するとき、補正用データ記憶部６Ａに既に記憶されている走査線Ｙ１に対しての補正用データＶｙ３をＶｙ２に書き換え、走査線Ｙ１に対しての補正用データをＶｙ３からＶｙ２に更新する。
【００２６】
この処理により、Ｌ１の素子特性をもつ表示画素ＰＸが走査対象として存在する走査線に対しては補正用データとしてＶｙ１が設定され、Ｌ１の素子特性をもつ表示画素ＰＸが走査対象として存在せずＬ２の素子特性をもつ表示画素ＰＸが走査対象として存在する走査線に対しては補正用データとしてＶｙ２が設定され、Ｌ１，Ｌ２の素子特性をもつ表示画素ＰＸが走査対象として存在せずＬ３の素子特性をもつ表示画素ＰＸまたは当該表示画素より更に立ち上がり特性の緩慢な表示画素が走査対象として存在する走査線に対しては補正用データとしてＶｙ３が設定される。
【００２７】
このようにして得られた黒レベルの補正用データを用いてＹドライバ３の各走査線毎の出力電圧を制御することにより、黒レベルの画像表示に対して素子間の輝度差を一定の範囲内に留め、黒レベルの映像信号に対して一様に黒レベルとなる表示画像が得られる。
【００２８】
このようにして黒レベルの補正用データを得た後、その補正用データによりＹドライバ３の出力電圧を制御して、白レベルの映像信号によりＸドライバ２を駆動し、そのときの全表示画素ＰＸの輝度パターンを測定器２０により測定する。このパターンデータをもとに補正用データ生成処理回路６が白レベルの補正用データを生成する。この際は、例えば走査線Ｙ１が走査電圧Ｖｙ１で走査され、その走査線Ｙ１を走査電極とする各表示画素ＰＸに、図３に示すＬ１の素子特性をもつ表示画素ＰＸと、Ｌ２の素子特性をもつ表示画素ＰＸと、Ｌ３の素子特性をもつ表示画素ＰＸとが存在するとき、Ｌ２の素子特性をもつ表示画素ＰＸに対してはＶｘ１、Ｌ１の素子特性をもつ表示画素ＰＸに対してはＶｙ２＋Ｖｘ２からＶｙ１を差し引いた電圧値（Ｖｘｉ）、Ｌ３の素子特性をもつ表示画素ＰＸに対してはＶｙ３＋Ｖｘ３からＶｙ１を差し引いた電圧値（Ｖｘｊ）をそれぞれ白レベルの補正用データとして補正用データ記憶部６Ａに記憶する。このようにして得られた白レベルの補正用データをそれぞれ各表示画素ＰＸに対応付けて補正用データ生成処理回路６に記憶し、この白レベルの補正用データが示す電圧値を最大階調レベルとして映像信号の階調を制御することで、白レベルの画像表示に対して素子間の輝度差を一定の範囲内に留め、白レベルの映像信号に対して一様に白レベルとなる表示画像が得られる。
【００２９】
上記したように本発明の実施形態によれば、表示素子特性のバラツキ、駆動回路等の回路条件の差異等によらず均一な輝度分布を得ることができ、高品位の画像表示が可能となる。
【図面の簡単な説明】
【００３０】
【図１】本発明の実施形態に係る平面表示装置の構成を示すブロック図。
【図２】図１に示す表示画素の輝度特性を示す図。
【図３】図１に示す表示画素の素子特性上のバラツキ例を示す図。
【符号の説明】
【００３１】
１…表示パネル、２…Ｘドライバ、３…Ｙドライバ、４…入力信号処理回路、５…タイミング・レベル制御回路、６…補正用データ生成処理回路、６Ａ…補正用データ記憶部、７…補正データ処理回路、８…画像信号処理回路、１１…表面伝導型電子放出素子、１２…蛍光体、２０…測定器、Ｘ…信号線、Ｙ…走査線、ＰＸ…表示画素。
【図１】
2005284086.tif 000003
【図２】
2005284086.tif 000004
【図３】
2005284086.tif 000005